(57)【特許請求の範囲】
【請求項１】
筆記具の後端を貫通する中心貫通孔と、該中心貫通孔に連通する横孔とが形成され、前記中心貫通孔の内周面には複数のリブが形成されており、該中心貫通孔の内周面のリブにトルマリンを含有するトルマリン含有体が圧接されるようにして該中心貫通孔内に圧入されており、前記中心貫通孔と横孔とを通して該トルマリン含有体が外気に露出されるように取り付けられたことを特徴とする筆記具。
【請求項２】
前記トルマリン含有体は、その露出した表面が球面をなしていることを特徴とする請求項１記載の筆記具。
【請求項３】
前記トルマリン含有体は、筆記具の後端部に取り付けられることを特徴とする請求項１または２記載の筆記具。
【発明の詳細な説明】
【０００１】
【発明の属する技術分野】
本発明は、シャープペンシル、ボールペン、コンピュータ入力ペン等の筆記具に関し、特に、付加価値を高めた筆記具に関する。
【０００２】
【従来の技術】
近年、筆記具は、その作業態様においてコンピュータ装置と共に使用される場面が多く、コンピュータ装置のモニターから発生する電磁波に晒される環境下にあり、筆記具を使用する使用者が、電磁波の影響により、眼精疲労、肩こり、頭痛、めまい等の症状を起こすことが報告されている。
【０００３】
【発明が解決しようとする課題】
しかしながら、従来、電磁波による被害を防ぐために色々な手段が講じられているが、筆記具にかかる手段を設けることは考えられていなかった。
【０００４】
本発明は、かかる課題に鑑みなされたもので、電磁波による影響を緩和することができ、付加価値を高めることができる筆記具を提供することをその目的とする。
【０００５】
【課題を解決するための手段】
上記目的を達成するために、本発明による筆記具は、筆記具の後端を貫通する中心貫通孔と、該中心貫通孔に連通する横孔とが形成され、前記中心貫通孔の内周面には複数のリブが形成されており、該中心貫通孔の内周面のリブにトルマリンを含有するトルマリン含有体が圧接されるようにして該中心貫通孔内に圧入されており、前記中心貫通孔と横孔とを通して該トルマリン含有体が外気に露出されるように取り付けられたことを特徴とする。
トルマリンは、電気石とも言われ、「極性結晶体」の鉱石であり、これが空気中に含まれている水と接触すると、マイナスイオンを発生し、電磁波から発生されるプラスイオンを減少させる効果がある。従って、トルマリンを含有するトルマリン含有体を筆記具に取り付けることにより、電磁波の影響を緩和することができる。また、筆記具を手に持って筆記するときに限らず、筆記具をポケットに収容するときでも人体に接近して配置されるので、トルマリンの効果が十分に得られる。
【０００６】
トルマリン含有体の形状は任意の形状とすることができるが、露出した表面が球面をなすようにすることによって、トルマリン含有体の体積が小さいものであっても、空気との接触面積を多くとることができる。
【０００７】
トルマリン含有体は、筆記具の後端部に取り付けることができる。トルマリンの効果を十分出すためには、ある程度、トルマリン含有体の体積を大きくしなければならない一方で、筆記具では筆記媒体を妨げることなく、嵩張るものを収納するスペースを見つけることは困難であるが、筆記具の後端部にトルマリン含有体を取り付けることで、筆記具をポケットに収容した場合でも、トルマリン含有体が外気に露出されるので、トルマリンの効果を十分に発揮させることができる。
【０００８】
また、本発明をコンピュータ入力ペンに適用した場合、コンピュータ装置周辺は電磁波による影響が大きいため、特に有効である。
【０００９】
【発明の実施の形態】
以下、図面を用いて本発明の実施の形態を説明する。
【００１０】
図１及び図２は、本発明の筆記具の第１の参考形態を表す図である。図において、１０は筆記具であり、筆記具１０のクリップ１２には、トルマリンを含有するトルマリン含有体１４が取り付けられている。このトルマリン含有体１４は球状をなしており、その一部分がクリップ１２の基部１２ａに形成された曲面状凹部１２ｂに埋め込まれて、接着剤により固着されている。トルマリン含有体１４は、例えば、特開平１０−１７３７８号公報に記載された方法により、所望の球状形状の多孔質体に成形すると良い。トルマリンの効果を十分に発揮させるためには、トルマリン含有体１４を空気に接触させることが必要であるが、筆記具１０から突出したトルマリン含有体１４の外表面が球面をなしていることから、トルマリン含有体１４の体積が小さくとも、大きな表面積を確保することができ、十分なトルマリンの効果が得られる。トルマリン含有体１４が球状をしているため、その取付方向等に煩わされることなく、曲面状凹部１２ｂにその一部を埋め込んで接着することができ、作業性を良くすることができる。また、クリップ１２と筆記具本体１１との間を連結するために通常肉厚となるクリップ１２の基部１２ａにトルマリン含有体１４を取り付けているため、曲面状凹部１２ｂの面積を大きくとることができ、従って、トルマリン含有体１４の保持力を十分に確保することができる。
【００１１】
図３及び図４は、本発明の第２の参考形態を表す図である。
【００１２】
この参考形態は、筆記具２０のクリップ２２の長手方向中間部分にトルマリン含有体１４が取り付けられた例である。クリップ２２の対応する部位には、貫通孔２２ａが形成されている。そして、貫通孔２２ａにトルマリン含有体１４の一部がはめ込まれて、貫通孔２２aから球状をなしたトルマリン含有体１４が突出すると共に貫通孔２２ａと筆記具２０の筆記具本体２１との間でトルマリン含有体１４が挟持されている。従って、トルマリン含有体１４をクリップ２２の裏側から貫通孔２２ａにはめ込んだ状態でクリップ２２を筆記具本体２１に取り付けることで、トルマリン含有体１４がクリップ２２と一緒に筆記具２０に取り付けられる。従って、接着剤によるトルマリン含有体１４の接着を省略することができる。
【００１３】
この参考形態においても、トルマリン含有体１４は、貫通孔２２ａから外方へ突出した部分と、クリップ２２と筆記具本体２１との間にある部分とが空気に晒されているため、十分なトルマリンの効果が得られる。クリップ２２と筆記具本体２１との間に形成される空間を利用して、トルマリン含有体１４の収納スペースを確保することができる。
【００１４】
トルマリン含有体１４の位置は、クリップ２２の長手方向のどの位置でも良いが、基部２２ｂに近い方が安定性が良く、また、クリップ２２と筆記具本体２１との間でポケットに挟み付けるときに、トルマリン含有体１４が邪魔になることはない。
【００１５】
図５は、本発明の第３の参考形態を表す図である。
【００１６】
この参考形態は、筆記具３０のクリップ３２の先端部３２ａにトルマリン含有体１４が取り付けられた例である。すなわち、クリップ３２の先端部３２ａには、曲面状凹部３２ｂが形成されており、トルマリン含有体１４の一部分が該曲面状凹部３２ｂに埋め込まれて、接着剤により固着されている。トルマリン含有体１４は、クリップ３２から突出した部分が空気に晒されているため、十分なトルマリンの効果が得られる。尚、この参考形態においては、トルマリン含有体１４がクリップ３２の先端部３２aに設けられているため、このトルマリン含有体１４は、クリップ３２と筆記具本体との間で例えば上着のポケットを挟み付けるときの挟持突起として用いることができる。
【００１７】
図６〜８は、本発明の実施形態を表す図である。
【００１８】
この実施形態は、筆記具４０の後端部にトルマリン含有体１４が取り付けられた例である。この筆記具４０は、筆記具本体４１の側面に作動体４２が設けられ、この作動体４２をノックすることにより、筆記媒体が筆記具本体４１の先端より出没する所謂サイドノック式の筆記具である。そして、筆記具本体４１の後端には、筆記具４０の後端部を構成する後端キャップ４４が設けられている。後端キャップ４４には、その周面に対向する２つの横孔４４ａが形成されており、各横孔４４ａは、後端キャップ４４の中心貫通孔４４ｂに連通している。中心貫通孔４４ｂの内周面には、複数のリブ４４ｃが形成されており、このリブ４４ｃに圧接するようにして、トルマリン含有体１４が中心貫通孔４４ｂ内に圧入されている。
【００１９】
この後端キャップ４４は、さらに筆記具本体４１を構成する他の部品４６に圧入されることで固定されている。
【００２０】
以上のように構成される筆記具４０においても、横孔４４ａ及び中心貫通孔４４ｂを通して、トルマリン含有体１４が空気に晒されるため、十分なトルマリンの効果が得られる。また、筆記媒体の出没と関係なく、後端キャップ４４の空いている空間を利用して、トルマリン含有体１４の収納スペースを確保することができる。
【００２１】
尚、この実施形態では、サイドノック式筆記具の例であったが、これに限るものではなく、筆記具の後端部をノックすることにより、筆記媒体が本体より出没する所謂、後端ノック式筆記具に適用することも勿論可能であり、その場合には、例えば、後端ノックキャップ内に、トルマリン含有体を収容することができる。
【００２２】
また、他の例としては、筆記具の後端キャップ等の後端部の後端面に凹部を形成し、該凹部にトルマリン含有体の一部を埋め込み、残りの一部を後方に突出させることとすることもできる。
【００２３】
【発明の効果】
以上説明したように、請求項１ないし３記載の発明によれば、筆記具にトルマリンを含有するトルマリン含有体を取り付けることで、電磁波に晒される環境下において筆記具を使用する場合に、その影響を緩和することができる。そして、これにより、付加価値の高い筆記具とすることができる。
【００２４】
請求項２記載の発明によれば、トルマリン含有体の表面が球面をなしていることで、小さな体積であっても大きな空気との接触面積を持つことができ、トルマリンの効果を十分に発揮させることができる。
【００２７】
請求項３記載の発明によれば、トルマリン含有体を筆記具の後端部に取り付けることにより、筆記と無関係に後端部の空いている空間を利用して、トルマリン含有体を保持する部分を十分に確保することができる。
【図面の簡単な説明】
【図１】  本発明の筆記具の第１の参考形態を表す側面図である。
【図２】  図１の要部平面図である。
【図３】  本発明の筆記具の第２の参考形態を表す側面図である。
【図４】  図３の要部平面図である。
【図５】  本発明の筆記具の第３の参考形態を表す要部側面図である。
【図６】  本発明の筆記具の実施形態を表す側面図である。
【図７】  図６の７−７線に沿って見た断面図である。
【図８】  図７の８−８線に沿って見た断面図である。
【符号の説明】
１０，２０，３０，４０  筆記具
１２，２２，３２  クリップ
１２ｂ，３２ｂ  曲面状凹部
１４  トルマリン含有体
４４  後端キャップ（筆記具の後端部）
【図１】
0003840000.tif 000002
【図２】
0003840000.tif 000003
【図３】
0003840000.tif 000004
【図４】
0003840000.tif 000005
【図５】
0003840000.tif 000006
【図６】
0003840000.tif 000007
【図７】
0003840000.tif 000008
【図８】
0003840000.tif 000009